(57)【要約】【課題】内容物のたれ落ちや手、衣服への付着が回避可能で、しかも簡単な操作で内容物の移し替えを行い得る詰替え容器を提案する。【解決手段】内容物の充填空間Ｍにつながる口部１ａを有し、胴体部分１ｂの少なくとも一部分を変形させて該充填空間Ｍの減容を可能とする容器本体１と、この容器本体１の口部１ａに設けられ、詰替えるべき容器４の口部４ａにあてがって該充填空間Ｍ内の内容物を排出する注出栓２とを備えた詰替え容器において、注出栓２を、詰替えるべき容器４の口部４ａに連係するベース２ａと、このベース２ａに一体連結し、その相互間にて上部へ向けて開放された環状溝２ｃを形成するとともに、その先端部を通して充填空間Ｍ内の内容物を詰替えるべき容器４の内部空間へと送給する挿入管体２ｂとを備えたもので構成する。そして挿入管体２ｂの先端部に、詰替えるべき容器４に設けられた押し込み部材５を押し込むことによって開放する栓体３を設ける。【選択図】図１
2011031951.tif 000002
【特許請求の範囲】
【請求項１】
内容物の充填空間につながる口部を有し、胴体部分の少なくとも一部分を変形させて該充填空間の減容を可能とする容器本体と、この容器本体の口部に設けられ、詰替えるべき容器の口部にあてがって該充填空間内の内容物を排出する注出栓とを備えた詰替え容器であって、
前記注出栓が、前記詰替えるべき容器の口部に連係するベースと、このベースに一体連結し、その相互間にて上部へ向けて開放された環状溝を形成するとともに、その先端部を通して充填空間内の内容物を前記詰替えるべき容器の内部間へと送給する挿入管体とを備え、
前記挿入管体の先端部に、前記詰替えるべき容器に設けられた押し込み部材を押し込むことによって開放する栓体を設けたことを特徴とする詰替え容器。
【請求項２】
前記栓体が、前記押し込み部材を押し込むことによって弱化部若しくはスリット部を起点に破断して内容物の送給経路を開通する隔壁からなる、請求項１記載の詰替え容器。
【請求項３】
前記栓体が、前記押し込み部材を押し込むことによってスリット部を起点に開放して内容物の送給経路を開通する隔壁からなる、請求項１記載の詰替え容器。
【請求項４】
前記栓体が、前記挿入管体において弾性支持され、無負荷状態では、前記挿入管体の先端壁部に当接して内容物の送給経路を閉塞状態に保持するが、前記押し込み部材を押し込むことによって離反させて内容物の送給経路を開放する弁体からなる、請求項１記載の詰替え容器。
【請求項５】
前記容器本体は、その底部に摘み片を有する、請求項１〜４の何れかに記載の詰替え容器。
【請求項６】
前記挿入管体は、内容物の詰替え姿勢において前記詰替えるべき容器の少なくとも口部下端域まで達する挿入長さを有する、請求項１〜５の何れかに記載の詰替え容器。
【発明の詳細な説明】
【技術分野】
【０００１】
本発明は、詰替え容器に関するものであり、内容物の漏れ出しを起したり、手や衣服を汚すことなしに効率的に内容物を詰替えようとするものである。
【背景技術】
【０００２】
シャンプーやリンス、洗剤、消臭除菌剤、あるいは化粧品等を入れる容器としては、内容物の適量取り出しを可能とするためにポンプの如き吐出器が備えられたものが数多く上市されており、内容物を使いきったのちは、別途に市販されている詰替え容器から新たな内容物を移し替えて元の容器（詰替えるべき容器）を再利用するのが普通になってきており、これによって資源の有効活用が図られている（例えば、特許文献１参照）。
【０００３】
ところで、詰替え容器はもともと、パウチタイプの容器や薄肉のブロー成形品等腰がない（剛性が低い）容器が適用されており内容物の詰替えが行い難く、例えば特許文献１のように２つの容器をねじを介して連結したのち内容物の移し替えを行うなど、これまでに種々の提案がなされてきてはいるものの、詰替え作業に手間がかかることからその改善が求められているのが現状であった。
【先行技術文献】
【特許文献】
【０００４】
【特許文献１】特開２０００−１５９２４９号公報
【発明の概要】
【発明が解決しようとする課題】
【０００５】
本発明の課題は、内容物の漏れ出し等の不具合を起すことなしに効率よく内容物を移し替えることができる新規な詰替え容器を提案するところにある。
【課題を解決するための手段】
【０００６】
本発明は、内容物の充填空間につながる口部を有し、胴体部分の少なくとも一部分を変形させて該充填空間の減容を可能とする容器本体と、この容器本体の口部に設けられ、詰替えるべき容器の口部にあてがって該充填空間内の内容物を排出する注出栓とを備えた詰替え容器であって、
前記注出栓が、前記詰替えるべき容器の口部に連係するベースと、このベースに一体連結し、その相互間にて上部へ向けて開放された環状溝を形成するとともに、その先端部を通して充填空間内の内容物を前記詰替えるべき容器の内部間へと送給する挿入管体とを備え、
前記挿入管体の先端部に、前記詰替えるべき容器に設けられた押し込み部材を押し込むことによって開放する栓体を設けたことを特徴とする詰替え容器である。
【０００７】
挿入管体の先端部に設けられる栓体としては、押し込み部材を押し込むことによって弱化部を起点に破断して内容物の送給経路を開通するか、あるいはスリット部を起点に開放して内容物の送給経路を開通する隔壁を適用するのが好ましい。また、挿入管体に配置されたスプリングの如きによって弾性支持され、無負荷状態では、前記挿入管体の先端壁部に当接して内容物の送給経路を閉塞状態に保持するが、押し込み部材を押し込むことによって離反させて内容物の送給経路を開放する弁体を適用するのが望ましい。
【０００８】
また、容器本体は、その底部に摘み片を設けることが可能であり、また、挿入管体としては、内容物の詰替え姿勢において詰替えるべき容器の少なくとも口部下端域（ビジブルライン）まで達する挿入長さを有するもの適用するのが好ましい。
【発明の効果】
【０００９】
詰替え容器を反転して挿入管体を、詰替えるべき容器の口部から差し入れて押し込み部材を該挿入管体の先端部において押し込むことによって初めて内容物の送給経路が開通することになるので、簡単な操作で内容物の詰替えが行え、このとき内容物がこぼれ出たり、手や衣服に付着することもない。
【００１０】
また、挿入管体を、詰替えるべき容器の少なくとも口部下端域に達するような挿入長さにしておくことで、詰替えにかかる内容物が挿入管体の先端部に到達した際に内容物の供給が自動的に終了することになり、内容物の適量詰替えが行える。
【００１１】
挿入管体の先端部に設けた栓体を弱化部あるいはスリット部を有する隔壁とすることで、詰替えを終えて挿入管体を引き抜く時に該隔壁の破断片が復元力により元の状態（形状）に戻ることになるため、内容物がたれ落ちるのを防ぐことができる。
【００１２】
とくに、栓体を、ばねの如き弾性手段で支持した場合には、弁体で挿入管体の送給経路を確実に閉塞させることができ、内容物のたれ落ちを確実に回避することが可能となる。
【００１３】
容器本体の底部に摘み片を設けておくことにより内容物の詰替えで容器本体が縮減しても元の状態に容易に引き伸ばすことが可能であり、詰替え容器内にもう一本分の詰替え用の内容物が残っている場合であっても、その引き伸ばしを行うことで次の内容物の詰替え作業を容易に再開することができる。
【図面の簡単な説明】
【００１４】
【図１】本発明にしたがう詰め替え容器の実施の形態を示した図である。
【図２】図１に示した詰め替え容器の要部拡大図である。
【図３】本発明の詰替え用器に適した元の容器の構成を示した図である。
【図４】図１に示した詰め替え容器の詰替え要領の説明図である。
【図５】図１に示した詰め替え容器の詰替え要領の説明図である。
【図６】図１に示した詰め替え容器の詰替え要領の説明図である。
【図７】本発明にしたがう詰替え容器の他の実施の形態を示した図である。
【図８】図7に示した詰替え容器の詰替え状況を示した図である。
【図９】本発明にしたがう詰替え容器のさらに他の実施の形態を示した図である。
【図１０】（ａ）（ｂ）は、押し込み部材の他の例を示した図である。
【発明を実施するための形態】
【００１５】
以下、図面を参照して本発明をより具体的に説明する。
図１は、本発明にしたがう詰替え容器の実施の形態を模式的に示した図である。
【００１６】
図における１は、詰替えるべき内容物が充填された容器本体である。容器本体１はその内側に充填空間Ｍが形成されており、その上端には、該充填空間Ｍにつながる口部１ａが設けられている。
【００１７】
また、容器本体１の口部１ａと肩部を通してつながる胴体部分１ｂは、上側胴体１ｂ１と、この上側胴体１ｂ１の下端に一体的につながる中側胴体１ｂ２と、この中側胴体１ｂ２の下端に一体的につながる下側胴体１ｂ３で構成されたものを例として示してあり、このうち中側胴体１ｂ２の壁部については上下の胴体に比較して薄肉であり、その部位の変形（減縮）に伴って充填空間Ｍが減容し内容物が排出できるようになっている。中側胴体１ｂ２は、その上部の径が上側胴体１ｂ１の下部の径より若干小さく、また、下側胴体１ｂ３の上部の径が中側胴体１ｂ２の下部の径より若干小さくなっており、内容物の詰替えによって中側胴体１ｂ２が減縮した場合（充填空間Ｍの減容）に該中側胴体１ｂ２は上側胴体１ｂ１の内側に倒れ込んでいき、それとともに、下側胴体１ｂ３が上側胴体１ｂ１内へと入り込み、容器本体１の長さが短縮される（図６参照）。
【００１８】
２は、容器本体１の口部１ａに設けられ、詰替えるべき容器の口部にあてがって充填空間Ｍ内の内容物を排出する注出栓である。この注出栓２には、保管時などにおいてその外表面へのゴミの付着を防止して衛生上好ましい状態に保持するためのオーバーキャップＫが配置される。
【００１９】
注出栓２は、その要部を拡大して図２に示すように、詰替える容器の口部に連係する環状のベース２ａと、充填空間Ｍ内の内容物を詰替えるべき容器（元の容器）の内部空間へと送給する送給経路ｅをもった挿入管体２ｂから構成されており、該ベース２ａと挿入管体２ｂとの相互間には、上部へ向けて開放された環状溝２ｃが形成されている。
【００２０】
ベース２ａは、外周壁２ａ１と、この外周壁２ａ1の内側に環状隙間ｔを残して一体連結する内周壁２ａ２と、この内周壁２ａ２の下端で挿入管体２ｂに連結する底板２ａ３からなっている。内周壁２ａ２には、その軸心に沿う向きで切り込まれた先端開放型のスリットＳがその周りに間隔をおいて複数設けられた連結筒ｇが配置（一体物として表示してある。）されていて、元の容器と詰替え容器とを連結するときに連結筒ｇの先端部分が弾性変形し、その際の復元力でもって相互連結を確実に行うようになっている。そして連結筒ｇの下端における内周壁２ａ２の外周壁には、内容物の詰替え時に後述する押し込み部材の連結筒との相互間で空気置換用の通路を形成する縦長の細溝ｈがスリットＳにつながるように少なくとも１本形成されており、該細溝ｈとスリットＳを通して外気を容器内に取り入れる。注出栓２については、元の容器との連係が可能でなおかつ、詰替え容器内の内容物を移し替えることができるものであれば栓タイプのものには限られず、ノズルヘッドを備えたキャップの如きタイプのものでもよい。
【００２１】
また、３は、挿入管体２ｂの先端部に設けられた栓体である。この栓体３は、その縁部が挿入管体２ｂの内周壁で一体連結した隔壁（板状のもの）を例として示してあり、その上面には、中心部向けて収束する合計６本の弱化部３ａ〜３ｆが設けられている。弱化部３ａ〜３ｆは、薄肉の細溝から形成されていて、隔壁３に押し込み部材を押し込むことで該隔壁３は、弱化部３ａ〜３cから破断して内容物の送給経路ｅが開通する。
【００２２】
図３は、本発明にしたがう詰替え容器の内容物を移し替えるための容器（内容物を詰替えるべき容器であって以下、元の容器と記す。）示した図である。図における４は、元の容器であり、５は、元の容器４の口部４ａに固定保持された押し込み部材である。
【００２３】
押し込み部材５は、元の容器４の口部４ａを差し込む環状溝を形成する基部（外筒５ａ１と内筒５ａ２からなる。）５ａと、この基部５ａの天壁において起立し、注出栓２の環状隙間ｔ（図２参照）においてねじあるいはアンダーカットによって着脱自在に係合する連結筒５ｂと、基部５ａの内筒５ａ２にアームＬを介してつながり元の容器４の口部中央部でその下端域から立ち上がるガイド５ｃと、このガイド５ｃの立ち上がり基端に設けられ、挿入管体２ｂの先端部の栓体３に向けて押し込んで該栓体３を弱化部３ａ〜３ｃから破断する比較的鋭利な先端をもった突起５ｄから構成されている。ガイド５ｃとしては、挿入管体２ｂの外周壁に沿う誘導面ｆをもった半円筒からなり、かつ先端にいくにしたがい誘導面ｆの領域を狭めた先細り形状をなすものを例として示したが、その基端からの立ち上がり長さは、詰替え容器の、元の容器５へのセット状態で注出栓２の内周壁２ａ２の下端に設けられた底板２ａ３に当接する長さを有しており、これにより詰替え容器の、元の容器５に対するセット姿勢を安定化させる。
【００２４】
図４に示すように、ガイド５ｃの誘導面ｆに沿って挿入管体２ｂを元の容器４の口部４ａ内に差し込んでいき、図５に示す如く、突起５ｄが栓体３に押し込まれると該栓体３は弱化部３ａ〜３ｃから破断して送給経路ｅが開通することとなり詰替え容器内の内容物が元の容器５へと流出し、この時、内周壁２ａ２の外周壁に設けられた細溝ｈによって形成された通路を通して空気が容器内へ導入され（空気置換）内容物の詰替えが開始される。なお、細溝ｈがなくても容器内への詰替えはとくに問題なく行うことができる。また、図２、図４において仮想線で示すように、注出栓２の底板２ａ３の設置位置を外周壁２ａ１の上下方向の中央部（押し込み部材５の連結筒５ｂの先端に対応する位置。）とすると詰め替えを終えて容器を正位に戻した時に内容物が環状溝２ｃ内に残存する量を極力減らすことができる。
【００２５】
そして、図６に示すように、元の容器５に内容物が充填され該内容物が挿入管体２ｂの先端部にまで達すると、一回目の詰替え用の内容物は元の容器４に移し替えられ容器本体１の充填空間Ｍもそれ以上減容できなくなるとともに細溝ｈを通した空気の導入が停止されるため、内容物の流出が自動的に停止し、ここで元の容器５への詰替えを完了する。
【００２６】
このとき、詰替え容器内に内容物が残っている場合には別の容器に詰替えるか、再度の詰替えに際して使用する。
【００２７】
内容物の詰替えが完了し、挿入管体２ｂを引き抜くと弱化部３ａ〜３ｆから破断した栓体３の破断片はその復元力でもって元の姿勢に戻り、送給経路ｅの開通によって形成された隙間は小さくなるため、とくに、シャンプーの如き粘性が比較的高いものにあっては内容物が簡単にたれ落ちることはない。
【００２８】
また、図６に示すように、容器本体１の底部に引き起こしを可能とする摘み片６を設けておき、詰替えが完了した時にその部位を摘んで引っ張ることにより容器本体１を元の長さに戻すことができるので、容器本体１にもう一回分の詰め替え用の内容物が残っている場合に、次回の詰替え作業が容易となる。容器本体１に残った内容物を詰替えるには、ガイド５ｃの誘導面ｆに沿って挿入管体２ｂを元の容器４の口部４ａ内に再度、差し込んでいき、栓体３に突起５を押し込み送給経路ｅを開通させて詰替え容器内の内容物を元の容器５へと流出させればよい。摘み片６は板状のものの他、リング状のものを適用してもよく、容器の形状や大きな等に応じて適宜変更することができる。
【００２９】
栓体３については、弱化部３ａ〜３ｆを設けたものを例として示したが、隔壁が初めから二分されているスリット部を設けてもよく、とくに、スリットバルブタイプのものを適用する場合には、詰替え容器の内圧を高めることによってスリット部を開放することができる。
【００３０】
図７は、本発明にしたがう詰替え容器の他の実施の形態を示した図である。図における７は挿入管体２ｂの内周壁に固定保持されたスプリング（合成樹脂製のものなど）、８はスプリング７により弾性支持され、該挿入管体２ｂの先端部に位置する弁体である。
【００３１】
弁体８の基部８ａの外縁には、挿入管体２ｂの内周壁に設けられたシールリングｃに当接する弁座８ｂが設けられていて、この弁体８によって内容物の送給経路ｅが密閉状態に保持されている。
【００３２】
かかる構造の挿入管体２ｂを備えた詰替え容器においても、上掲図１〜６に示したものと同様の要領で詰替えを行うことが可能であり、図８に示すように、弁体８が押し込み部材５の突起５dにより押し込まれたとき、弁座８ｂがシールリングＣから離反して内容物の送給経路ｅが開放されることとなる。とくにこのタイプの詰替え容器にあっては、図７に示すように挿入管体２ｂの外周壁に該挿入管体２ｂの軸心に沿った少なくとも１本の溝部ｉを設け、この溝部ｉを通して空気の置換を行うことができる。
【００３３】
図７、図８に示すような弁体８を備えた詰替え容器にあっては、挿入管体２ｂの引き抜きと同時にその先端部が閉塞するため、内容物のたれ落ちを確実に防止することができ、また、もう一回分の詰替え用の内容物が残っている場合には、空気との遮断が確実になるので内容物の品質を安定的に保持できる利点がある。
【００３４】
本発明にしたがう詰替え容器は、スプリングを含め、その全てを合成樹脂にて構成することが可能であり、容器の廃棄に際しては、部材毎に分別する手間を省くことができる。
【００３５】
また、胴体部分１ｂについては、２回の詰め替えが行えるように、中側胴体１ｂ２の壁部を上下の胴体に比較して薄肉にして内容物の排出に伴うその部位の変形（減縮）により充填空間Ｍを減容させることで内容物を排出するようにしたが、胴体部分１ｂを４以上に区分し任意の位置で胴体の薄肉化を図り、３回以上の詰替えが行えるようにしてもよく、この点については限定されない。
【００３６】
図９は、本発明にしたがう詰替え容器のさらに他の実施の形態を示した図である。この例は、弁体８が挿入管体２ｂの先端から突出した構造ものであって、この場合、弁体８が突き当たる部位（平坦なものでもよい。）が存在していればよく、上掲図３、図８に示すような突起５ｄが不要であり構造の簡素化が可能となる。
【００３７】
なお、押し込み部材５としては、図１０（ａ）〈ｂ〉に示すような栓９を適用することも可能であり、このような栓９を押し込み部材５として設けることで、構造のより一層の簡素化を図ることができる。挿入管体２ｂに空気置換用の溝部を有せず、例えば、図１０（ａ）に示すような栓９を適用するに当たっては、該栓９の上端筒の内側あるいは外側に溝部を設けて空気の置換を行えばよく、また、図１０（ｂ）に示すような栓９を適用するに当たっては、栓の内側壁に溝部を設けて空気の置換を行えばよい。
【産業上の利用可能性】
【００３８】
内容物のたれ落ちや手、衣服への付着を回避することが可能ので、かつ、簡単な操作のもとで内容物の移し替えを行い得る詰替え容器が提供できる。
【符号の説明】
【００３９】
１      容器本体
１ａ    口部
１ｂ    胴体部分
２      注出栓
２ａ    べース
２ｂ    挿入管体
２ｃ    環状溝
３      栓体（隔壁）
４      詰替えるべき容器（元の容器）
４ａ    口部
５      押し込み部材
５ａ    基部
５ｂ    連結筒
５ｃ    ガイド
５ｄ    突起
６      摘み片
７      スプリング
８      弁体
８ａ    基部
８ｂ    弁座
Ｍ      充填空間
Ｋ      オーバーキャップ
ｔ      環状隙間
Ｓ      スリット
ｇ      連結筒
ｈ      細溝
ｅ      送給経路
ｆ      誘導面
Ｃ      シールリング
【図１】
2011031951.tif 000003
【図２】
2011031951.tif 000004
【図３】
2011031951.tif 000005
【図４】
2011031951.tif 000006
【図５】
2011031951.tif 000007
【図６】
2011031951.tif 000008
【図７】
2011031951.tif 000009
【図８】
2011031951.tif 000010
【図９】
2011031951.tif 000011
【図１０】
2011031951.tif 000012